(57)【要約】【課題】耐久性に優れた特性を持つランドセルの肩ベルトの構造を提供すること。【解決手段】使用者の肩部に当たる上方帯片部とバックルとの係合をする下方帯片部からなるランドセルの肩ベルトにおいて、該下方帯片部の内部に、引張強度が１６ｃＮ／ｄｔｅｘ以上の高強度繊維からなる補強繊維シートを、少なくとも、前記上方帯片部と該下方帯片部を結合するカシメ孔の周囲から、該下方帯片部がバックルと係合する最先端の係合部の周囲まで、該下方帯片部の長さ方向にそって連続して配設したことを特徴とするランドセルの肩ベルト。【選択図】図１
2013215333.tif 000002
【特許請求の範囲】
【請求項１】
使用者の肩部に当たる上方帯片部とバックルとの係合をする下方帯片部からなるランドセルの肩ベルトにおいて、該下方帯片部の内部に、引張強度が１６ｃＮ／ｄｔｅｘ以上の高強度繊維からなる補強繊維シートを、少なくとも、前記上方帯片部と該下方帯片部を結合するカシメ孔の周囲から、該下方帯片部がバックルと係合する最先端の係合部の周囲まで、該下方帯片部の長さ方向にそって連続して配設したことを特徴とするランドセルの肩ベルト。
【請求項２】
前記高強度繊維がパラ系アラミド繊維であり、前記補強繊維シートが該パラ系アラミド繊維糸を織糸に用いた織物であることを特徴とする請求項１記載のランドセルの肩ベルト。
【請求項３】
前記織物が、目付２００〜３５０ｇ／ｍ2 、厚さ０．２５〜０．５ｍｍであり、織糸の長さ方向が前記下方帯片部の長さ方向に平行に配置されていることを特徴とする請求項２記載のランドセルの肩ベルト。
【発明の詳細な説明】
【技術分野】
【０００１】
本発明は、耐久性に優れたランドセルの肩ベルトに関する。
【背景技術】
【０００２】
小学生が在学中の６年間にわたり使用するランドセルは、通常の使用のもとにおいて、少なくとも６年の耐久性を有していることが要請されるが、近年、６年の使用を待たずに補修が必要になるケースが増加している。
【０００３】
その原因の一つに、教科書やノートのサイズの大型化、副教材や文具の多様化等に伴い、使用時のランドセルの総重量がかなりの重さとなることが挙げられる。
【０００４】
補修が必要になるケースのうちの大半は、部材で区分すると肩ベルトであり、これは上述したように近年、使用時のランドセルの収納物も含めた総重量がかなりの重さとなり、その重量の大半が左右の肩ベルトにかかっていることによると解される。
【０００５】
肩ベルトを構造的にみると、背負う者の肩に直接にあたる上半分部（本発明では、上方帯片部という（図１で２））と、ランドセルの底部に係合している下ベルトとバックル部で係合する下半分部（本発明では、下方帯片部という（図１で３））に分けられる。
【０００６】
特に、上方帯片部は、一般にクッション効果を高くするために、肩に当たる面積を大きくして幅広でかつ厚肉に作られており、比較的丈夫であり補修が必要になる率は小さい。
【０００７】
一方、下方帯片部は、背負う者の肩に直接にあたることは通常はないので上方帯片部のようなクッション性を考慮する必要はほとんどなく、一般に上方帯片部よりも細く作られている（図１）。そして、その細い分、バックルと係合する部分付近では大きな応力が、例えば、特に複数個あるサイズ調整用孔のうちの通し具が実際に通されている孔の周縁部付近や、バックル部付近の折り曲げ部付近で比較的大きな引裂き応力や曲げ応力が強く加わることになるものである。
【０００８】
これらのサイズ調整用孔のうちの通し具が通されている孔の周縁部付近や、バックル部付近の折り曲げ部付近で加えられる比較的大きな引裂き応力や曲げ応力は、総重量が大きな状態で該ランドセルが振り回されたり、乱暴な扱われ方をされた場合等にはさらに大きなものとなり、永年の使用とともに、当該部分の補修をせざるを得なくなるほどまで破壊されることが多くあった。
【０００９】
また、上方帯片部と下方帯片部との結合部付近でも同様な問題があった。
【００１０】
上述したような問題点に鑑み、例えば、肩ベルトの繰り返し荷重がかかる部分、具体的には、肩ベルト（下方帯片部）のサイズ調整用孔の周縁部に、適度な柔軟性を有する芯材と、該芯材に重ねられる柔軟なシート状の補強材と、該芯材と該補強材を覆う生地が設けられてなるランドセルが提案されている（特許文献１の請求項１−２）。
【００１１】
また、下方帯片部の上面に薄肉状の補強片及び表面化粧片を接着固定することにより、長さ調整する止着具の掛止爪を挿通させる小孔を貫通して強度が劣化した下方帯片の芯材を補強し、それにより、経年変化を防止して下方帯片の破損および切断を防止し、６年間という長い期間を使用することができるというランドセルについての提案がされている（特許文献２の段落００２１、同００２８）。
【００１２】
しかし、これら特許文献１、特許文献２において提案されているランドセルの肩ベルトは、柔軟なシート状の補強材あるいは薄肉状の補強片を使用するという提案に止まるにすぎず、大きな引張力や曲げ力に対して耐久性に優れた特性を持つ、より具体的な肩ベルトの構造については実現されていなかった。
【先行技術文献】
【特許文献】
【００１３】
【特許文献１】実用新案登録第３１４０２１９号公報
【特許文献２】実用新案登録第３１３９７９４号公報
【発明の概要】
【発明が解決しようとする課題】
【００１４】
本発明の目的は、上述したような点に鑑み、耐久性に優れた特性を持つランドセルの肩ベルトの構造を提供することにある。
【課題を解決するための手段】
【００１５】
上述した目的を達成する本発明のランドセルの肩ベルトは、下記（１）の構成からなる。
（１）使用者の肩部に当たる上方帯片部とバックルとの係合をする下方帯片部からなるランドセルの肩ベルトにおいて、該下方帯片部の内部に、引張強度が１６ｃＮ／ｄｔｅｘ以上の高強度繊維からなる補強繊維シートを、少なくとも、前記上方帯片部と該下方帯片部を結合するカシメ孔の周囲から、該下方帯片部がバックルと係合する最先端の係合部の周囲まで、該下方帯片部の長さ方向にそって連続して配設したことを特徴とするランドセルの肩ベルト。
【００１６】
かかる本発明のランドセルの肩ベルトにおいて、下記（２）または（３）の構成を有することが好ましい。
（２）前記高強度繊維がパラ系アラミド繊維であり、前記補強繊維シートが該パラ系アラミド繊維糸を織糸に用いた織物であることを特徴とする上記（１）記載のランドセルの肩ベルト。
（３）前記織物が、目付２００〜３５０ｇ／ｍ2 、厚さ０．２５〜０．５ｍｍであり、織糸の長さ方向が前記下方帯片部の長さ方向に平行に配置されていることを特徴とする上記（２）記載のランドセルの肩ベルト。
【発明の効果】
【００１７】
請求項１にかかる本発明によれば、耐久性に優れた特性を持つランドセルの肩ベルトが提供される。
【００１８】
さらに請求項２または請求項３にかかる本発明によれば、請求項１記載の発明の効果がより明確にかつ大きく発揮されるランドセルの肩ベルトが提供される。
【図面の簡単な説明】
【００１９】
【図１】本発明にかかるランドセルの肩ベルトの一つを、裏側（背負う者の人体側）から見た正面図である。
【図２】図１に示したランドセルの肩ベルトの断面構造の１例を示した図１のＡ−Ａ矢視断面図である。
【発明を実施するための形態】
【００２０】
以下、更に詳しく図面などを参照しながら、本発明のランドセルの肩ベルトについて説明する。
【００２１】
図１に示したように、本発明のランドセルの肩ベルト１は、使用者の肩部に当たる上方帯片部２と、ランドセルの底部に係合している下ベルト（図示せず）とバックル（図示せず）を介して係合をする下方帯片部３からなるものであり、特に、下方帯片部３の内部に、引張強度が１６ｃＮ／ｄｔｅｘ以上の高強度繊維からなる補強繊維シート６を、少なくとも、上方帯片部２と下方帯片部３を結合するカシメ孔４の周囲から、下方帯片部３がバックルと係合する最先端の係合部の周囲まで、下方帯片部３の長さ方向にそって連続して配設したことを特徴とする。
【００２２】
本発明において、「下方帯片部がバックルと係合する最先端の係合部」とは、バックルとの係合手段が複数個空けられた（サイズ調整用の）孔５のうちの一つに通し具を通すことによって該肩ベルト長さの調節と固定をする係合手段である場合には、最先端に位置する係合部たるサイズ調整用の孔５Ｅのことをいう（図１）。
【００２３】
あるいは、本発明者らが先に提案している（特願２０１１−２７３３９６号）、肩ベルトの長さ調節と固定を、ベルト幅方向に形成された係止突起を有するランドセル底面に繋がる下ベルトと、該係止突起が係止するベルト幅方向に所定の間隔で形成された複数の凹溝を有する背負いベルトからなるスライド式アジャスタ機構により行うものの場合には、該背負いベルトに設けられた該複数の凹溝が帯状に形成されている該帯状凹溝部の最下端部をいう。
【００２４】
本発明のランドセルの肩ベルトにおいては、引張強度が１６ｃＮ／ｄｔｅｘ以上の高強度繊維からなる補強繊維シート６を、少なくとも、上方帯片部２と下方帯片部３を結合するカシメ孔４の周囲から、下方帯片部３がバックルと係合する最先端の係合部の周囲まで、下方帯片部３の長さ方向にそって連続して配設したことにより、下方帯片部３の耐久性、強度が顕著に向上し、肩ベルト１の全体の耐久性、強度が顕著に向上する。
【００２５】
本発明において、「引張強度が１６ｃＮ／ｄｔｅｘ以上の高強度繊維からなる補強繊維シート」とは、引張強度が１６ｃＮ／ｄｔｅｘ以上の高強度繊維を構成繊維として形成された織物、編物、不織布あるいはフェルト状物からなる繊維シート状のものをいい、特に、下方帯片部３の一部を補強するために。その一定の部位に使用されているものをいう。
【００２６】
特に、該補強繊維シートは、タテ糸とヨコ糸が交錯してシート状を成している織物の場合が、糸ずれ（織目ずれ）などを起こすことなく形状維持性に優れていることから補強効果をより大きく発揮できること、また、シート性能を発揮させることを企図してのシート設計が、織物の場合は織糸種類（繊維種類、繊度、撚り数など）や織密度（カバーファクター）等を適宜に変更して具体化する設計が比較的容易である点で好ましい。
【００２７】
補強繊維シートには、ランドセルの肩ベルト素材として要請される可撓性や可縫性が損なわれない範囲内で樹脂が含浸されていてもよく、樹脂が含浸した織物を用いることは、糸ずれ（織目ずれ）がより発生しにくく、耐引裂き性も高くなるので補強効果をさらに大きく発揮できる。
【００２８】
図２は、図１に示したランドセルの肩ベルトのＡ−Ａ断面構造の１例を示したものである。肩ベルトの下方帯片部３は、表側（図２上で下側）から、表側合皮７、ビニール等の合成樹脂シート材からなる芯材８、引張強度が１６ｃＮ／ｄｔｅｘ以上の高強度繊維からなる補強繊維シート６、スポンジ等のクッション材９、裏側合皮１０の順で積層されている積層構造からなり、それらの各部材は全て糊付けされて後、さらに縫製部１１で縫製されて全体が一体化されて形成されている。
【００２９】
本発明では、この下方帯片部３に、特に引張強度が１６ｃＮ／ｄｔｅｘ以上の高強度繊維からなる補強繊維シート６を使用するものであり、横断面上での使用する位置は、図２に示した例に限定されず、例えば芯材８と表側合皮７との間であってもよい。下方帯片部３の長さ方向では、前述したように、少なくとも、カシメ孔４の周囲から、下方帯片部３がバックルと係合する最先端の係合部の周囲まで連続して配設することが重要である。その領域がカシメ孔やサイズ調整用の孔の存在により強度的に弱くなるので、その領域に連続して存在する補強材を配するのが有効だからである。「周囲」とは、カシメ孔端部あるいは係合部端部まで、最低でも距離にして０．５ｃｍ以内、好ましくは１．０ｃｍ以内の領域をいい、該領域には、該補強繊維シート６が存在していることが本発明の効果を得る上で重要である。
【００３０】
したがって、該補強繊維シート６は、一般的に、寸法的には、幅（４ｃｍ±１ｃｍ）×長さ（２０ｃｍ±４ｃｍ）程度のものであることがよく、こうした寸法のもので均斉な特性を有するものを安定して得る上で織物は最適であり、広幅の織物から所望する細幅に適宜に裁断して製造できる他、テープ織機等の狭い織幅用の織機を利用して所望する織幅の生機として製造することもできる。なお、補強繊維シート６は、下方帯片部３の最下端位置付近まで配設されていてももちろんよい。
【００３１】
本発明において、補強用繊維シートに用いられる高強度繊維は、高引張耐力、高引裂耐力の繊維シートを得る上で、引張強度が１６ｃＮ／ｄｔｅｘ以上の繊維を採用するものであり、１６ｃＮ／ｄｔｅｘ未満の繊維では、本発明者らの知見では補強効果が所望するレベルまでに至らない。該引張強度値の上限は、特に限定されるものではないが、効果の上では、２５ｃＮ／ｄｔｅｘ程度までとするのが実際的である。
【００３２】
該引張強度が１６ｃＮ／ｄｔｅｘ以上の高強度繊維としては、有機繊維では、パラ系アラミド繊維、高分子量ポリエチレン繊維、ポリアリレート繊維、ＰＢＯ（ポリベンゾビスオキサゾール）繊維などがある。更に、パラ系アラミド繊維には、ポリパラフェニレンテレフタルアミド繊維やコポリパラフェニレン−３、４'−オキシジフェニレンテレフタルアミド繊維などがある。また無機繊維では、炭素繊維やステンレス繊維、ガラス繊維などがある。これらの中で、しなやかさ、軽さ、摩擦などによる繊維破損が起きにくいなどの点、製織性等のシートへの加工性、取扱いのしやすさ等から有機繊維が望ましく、中でも、単繊維繊度０．５ｄｔｅｘ〜５ｄｔｅｘ程度のパラ系アラミド繊維が、織物の裁断、樹脂の含浸性などの点で好ましい。中でもポリパラフェニレンテレフタルアミド繊維（例えば、商品名"ケブラー"（東レ・デュポン社製））が強度だけでなく高弾性率である点で最も好ましい。繊維は、フィラメント繊維、短繊維のいずれでもよいが、性能やコストなどの点でフィラメント繊維使いであることが好ましい。
【００３３】
補強用繊維シートは、目付２００〜３５０ｇ／ｍ2 、厚さ０．２５〜０．５ｍｍであることが好ましい。
【００３４】
織物の場合、織密度はタテ糸２５〜３５本／インチ、ヨコ糸２５〜３５本／インチとするのがよく、織糸の長さ方向が下方帯片部３の長さ方向に平行に配置されるように使用することが耐張力性を高くできるので好ましい。織組織は、平織、斜文織、朱子織などのいずれでもよいが、平織がタテ・ヨコ各方向の性能の均一性に優れているので使いやすい。
【００３５】
また、織糸の長さ方向が下方帯片部３の長さ方向に対して、３０〜６０度程度の交差角度で斜めに交わるようにして使用してもよい。そのように使用すると、下方帯片部３の長さ方向の伸びに対する靱性、耐久性を上げることができる。
【００３６】
補強用繊維シートは、引張強さ（タテ×ヨコ）で、（３５０〜６００ｋｇ／２５ｍｍ）×（３５０〜６００ｋｇ／２５ｍｍ）であることが好ましい。
【００３７】
こうした補強繊維シートを、下方帯片部のカシメ孔の周囲から下方帯片部がバックルと係合する最先端の係合部の周囲まで連続して配設した下方帯片部とすることにより、ランドセルの下方帯片部の高引張耐力、高引裂耐力は向上し、肩ベルト全体の耐久性レベルが顕著に向上する。
【実施例】
【００３８】
実施例１、比較例１
東レ・デュポン（株）製のポリパラフェニレンテレフタルアミド繊維（引張強度２０．３ｃＮ／ｄｔｅｘ、引張弾性率５００ｃＮ／ｄｔｅｘ、単繊維繊維２．１３ｄｔｅｘ、商品名；ケブラー）糸条をタテ糸及びヨコ糸に用いて平織物を製織した。
【００３９】
織密度はタテ×ヨコ＝３１本／インチ×３１本／インチであり、織物の目付は２７８ｇ／ｍ2 、厚さ０．３８ｍｍ、引張強さ（タテ×ヨコ）は、４３２ｋｇ／２５ｍｍ×４５４ｋｇ／２５ｍｍであった。
【００４０】
この織物を、補強繊維シートとしてタテ糸方向２０ｃｍ×ヨコ糸方向４ｃｍに裁断し、図１、図２に示したとおりの構造を有する本発明のランドセルの肩ベルトを製造した。芯材は厚さ１ｍｍのビニールシートであり、補強繊維シートの配設位置は、肩ベルトの長さ方向で、カシメ４の上方２ｃｍの箇所から、最先端に位置するサイズ調整用の孔５Ｅの下方２ｃｍの位置まで連続して設けた。
【００４１】
比較のために上記実施例の補強繊維シートの代わりに、同一厚さのビニールシート材（芯材と同一組成）を補強シート材的に使用してランドセルの肩ベルトを製造した（比較例１）。この比較例１のものは、従来のランドセルの肩ベルトの構造と実質的に同等なものである。
【００４２】
両者のランドセルの肩ベルトについて、それぞれ４本ずつ計８本製造し、それぞれをバックルを有する下ベルト（共通仕様）と、同一位置のサイズ調整用の孔に通し具を通して連結させて、試験用肩ベルトを用意した。
【００４３】
該試験用肩ベルトの連結部付近を折曲げては元に戻して、更に引張力を徐々に加え、そのあと元に戻してまた繰り返す、という強制破壊試験を行った。
【００４４】
その結果、比較例１のもので、通し具を通したサイズ調整用孔付近（下ベルトとの連結部付近）での破壊が認められた時点（回数）で、本発明のランドセルの肩ベルトでは特別な異常は発見されず、本発明のランドセルの肩ベルトは、従来のランドセルの肩ベルトと比較して、過酷な曲げ力と引張力に対しての耐久性が高く、高引張耐力、高引裂耐力の点で格段に優れていることが確認された。
【符号の説明】
【００４５】
１：ランドセルの肩ベルト
２：上方帯片部
３：下方帯片部
４：カシメ孔
５：サイズ調整用の孔
５Ｅ：最先端に位置するサイズ調整用の孔
６：高強度繊維からなる補強繊維シート
７：ランドセルの表側合皮
８：芯材
９：スポンジ等のクッション材
１０：裏側合皮
１１：縫製部
【図１】
2013215333.tif 000003
【図２】
2013215333.tif 000004